(57)【要約】【課題】火消し部材によりタバコの火を簡単、確実に消すことができ、火消し部材に灰が詰まることを防止することができる灰皿を提供すること。【解決手段】灰皿１は、枠体３と灰受け皿４とで構成される本体２と、蓋体５と、蓋体５を本体２に対し回動可能に支持するヒンジ構造部６と、枠体３の前方に回動可能に設置され、タバコの先端部を挿入し得る筒状の火消し部材７と、火消し部材７を回動操作する操作部材８と、枠体３に固定された灰落とし部材９とを有する。灰落とし部材９は、火消し部材７の後方下部に形成された開口７３を通過可能な突部９１を有する。操作部材８を指で押圧操作して火消し部材７を軸７５を中心に反時計方向に回動させると、突部９１が火消し部材７の内腔７０内に突出（進入）する。操作部材８から指を離すと、バネ７６の付勢力により火消し部材７は元の位置にもどる。【選択図】図３
2005022560.tif 000002
【特許請求の範囲】
【請求項１】
タバコの灰を受ける灰受け部を有する本体と、前記本体に対し回動可能に支持された蓋体と、タバコの先端部を挿入し得る筒状の火消し部材とを有し、
前記火消し部材に対し相対的に変位可能であり、かつ前記火消し部材の内部に突出／退避自在に設けられた突部を備えていることを特徴とする灰皿。
【請求項２】
前記本体は、枠体と、枠体に対し着脱自在に設置された灰受け皿とを有してなるものである請求項１に記載の灰皿。
【請求項３】
前記火消し部材は、前記突部が通過し得る開口を有する請求項１または２に記載の灰皿。
【請求項４】
前記開口は、前記火消し部材の側壁に形成されている請求項３に記載の灰皿。
【請求項５】
前記火消し部材は、前記本体に対し変位可能に設置され、前記突部は、前記本体に対し固定的に設置されている請求項１ないし４のいずれかに記載の灰皿。
【請求項６】
前記火消し部材を変位させるための操作を行う操作部を有する請求項５に記載の灰皿。
【請求項７】
前記蓋体が閉じた状態を維持するロック機構を有し、前記操作部は、前記ロック機構を解除する操作を行うと共に前記火消し部材を変位させる請求項６に記載の灰皿。
【請求項８】
前記突部が前記火消し部材の内部から退避する方向に前記火消し部材または前記突部を付勢する付勢手段を有する請求項１ないし６のいずれかに記載の灰皿。
【請求項９】
前記火消し部材の内部に前記突部が進入する動作と、前記蓋体が開く動作とが、この順に連続して、またはほぼ同時に行われる請求項１ないし８のいずれかに記載の灰皿。
【発明の詳細な説明】
【０００１】
【発明の属する技術分野】
本発明は、灰皿、例えば自動車の車内に設置して使用される灰皿に関するものである。
【０００２】
【従来の技術】
従来、自動車の車内では、灰皿が設置されて用いられている。この種の灰皿としては、タバコの火を簡単、確実に消すために、タバコの先端部を挿入する円筒状の火消し部材（吸い殻挿入孔５）を備えた灰皿が知られている（例えば、特許文献１参照）。
【０００３】
特許文献１に記載の灰皿は、火消し部材の下端部の内径がタバコの外径より小さくなった縮径部を有しており、タバコの先端が通過せず、確実に火を消すことができるようになっている。
【０００４】
しかしながら、この灰皿では、何本もタバコの火を消しているうちに、火消し部材の縮径部に灰が詰まり、これにより、火を消す機能が低下したり、タバコを挿入できなくなったりするという弊害が生じる。
【０００５】
また、同様の円筒状の火消し部材を備え、該火消し部材の側面に複数のスリット状の開口（通孔４）が形成された灰皿（火消し具）が開示されている（例えば、特許文献２参照）。
【０００６】
しかしながら、この灰皿においても、灰を除去する機能が十分ではなく、何本もタバコの火を消しているうちに、スリット状の開口（通孔４）に灰が詰まり、火を消す機能が低下したり、タバコを挿入できなくなったりするという弊害が生じる。
【０００７】
【特許文献１】
実開平６−４４６３４号公報
【特許文献２】
実開平６−２３４９８号公報
【０００８】
【発明が解決しようとする課題】
本発明は、上記従来技術の欠点に鑑みなされたものであり、その目的は、火消し部材によりタバコの火を簡単かつ確実に消すことができるとともに、火消し部材に灰が詰まることを防止することができる灰皿を提供することにある。
【０００９】
【課題を解決するための手段】
このような目的は、以下の（１）〜（９）の本発明により達成される。
【００１０】
（１）  タバコの灰を受ける灰受け部を有する本体と、前記本体に対し回動可能に支持された蓋体と、タバコの先端部を挿入し得る筒状の火消し部材とを有し、
前記火消し部材に対し相対的に変位可能であり、かつ前記火消し部材の内部に突出／退避自在に設けられた突部を備えていることを特徴とする灰皿。
【００１１】
（２）  前記本体は、枠体と、枠体に対し着脱自在に設置された灰受け皿とを有してなるものである上記（１）に記載の灰皿。
【００１２】
（３）  前記火消し部材は、前記突部が通過し得る開口を有する上記（１）または（２）に記載の灰皿。
【００１３】
（４）  前記開口は、前記火消し部材の側壁に形成されている上記（３）に記載の灰皿。
【００１４】
（５）  前記火消し部材は、前記本体に対し変位可能に設置され、前記突部は、前記本体に対し固定的に設置されている上記（１）ないし（４）のいずれかに記載の灰皿。
【００１５】
（６）  前記火消し部材を変位させるための操作を行う操作部を有する上記（５）記載の灰皿。
【００１６】
（７）  前記蓋体が閉じた状態を維持するロック機構を有し、前記操作部は、前記ロック機構を解除する操作を行うと共に前記火消し部材を変位させる上記（６）に記載の灰皿。
【００１７】
（８）  前記突部が前記火消し部材の内部から退避する方向に前記火消し部材または前記突部を付勢する付勢手段を有する上記（１）ないし（６）のいずれかに記載の灰皿。
【００１８】
（９）  前記火消し部材の内部に前記突部が進入する動作と、前記蓋体が開く動作とが、この順に連続して、またはほぼ同時に行われる上記（１）ないし（８）のいずれかに記載の灰皿。
【００１９】
【発明の実施の形態】
以下、本発明の灰皿を添付図面に示す好適実施形態に基づいて詳細に説明する。
【００２０】
図１は、本発明の灰皿の実施形態の全体構成を示す斜視図、図２は、図１中のＡ−Ａ線断面図（蓋体が閉じた状態）、図１中のＡ−Ａ線断面図（蓋体が開いた状態）である。以下、これらの図に基づいて、灰皿１の構成について説明する。なお、説明の都合上、図１〜図３中の上側を「上」、「上部」または「上端」といい、下側を「下」、「下部」または「下端」といい、右側を「後部」または「後方」といい、左側を「前部」または「前方」という。
【００２１】
灰皿１は、本体２と、蓋体５と、蓋体５を本体２に対し回動可能に支持するヒンジ構造部６と、本体２に対し変位可能に設置され、タバコの先端部を挿入し得る筒状の火消し部材７と、操作部材（操作部）８と、突部９１が形成された灰落とし部材９とを有している。
【００２２】
本体２は、環状の枠体３と、枠体３の下方に着脱自在に装着されたカップ状の灰受け皿（灰受け壷）４とで構成されている。灰受け皿４は、有底筒状の部材であり、その内部にはタバコの灰や吸殻が集積される。タバコの灰や吸殻がある程度の量集積されたら、灰受け皿４を枠体３から取り外してそれらを捨て、再び枠体３に装着する。
【００２３】
蓋体５は、枠体３の外周とほぼ同形状の皿状をなしており、蓋体５を閉じたときには、枠体３の上端開口を覆う（図２参照）。この蓋体５は、ヒンジ構造部６を介して枠体３の後部に回動可能に設置されている。
【００２４】
ヒンジ構造部６は、回動軸６１と、蓋体５が開く方向（図２中時計方向）に付勢する付勢手段であるバネ（トーションバネ）６２とで構成されている。バネ６２は、回動軸６１の回りに設置されている。
【００２５】
また、本実施形態では、蓋体５が閉じた状態（図２参照）を維持するロック機構６５を有している。このロック機構６５は、蓋体５の前部下面側に突出形成された爪６６と、後述する操作部材８の後部に形成され、爪６６が係合し得る係合孔６７とで構成されている。バネ６２の付勢力に抗して蓋体５を閉じると、爪６６が係合孔６７に係合し、ロック機構６５がロックされる。これにより、蓋体５の閉じた状態（図２参照）が維持される。
【００２６】
火消し部材７は、タバコの先端部を挿入し得る筒状の部材である。火消し部材７の上端部は、その内径が上方に向かって漸増するテーパ部（ガイド部）７１を有している。これにより、タバコの先端部をより確実に火消し部材７の内腔７０に誘導することができる。
【００２７】
また、火消し部材７の下端部は、その内径が下方に向かって漸減するテーパ状の縮径部７２を有している。これにより、タバコの先端部を火消し部材７の内腔７０の奥まで挿入したとき、火のついている部分が縮径部７２により圧縮され、火を確実に消すことができる。
【００２８】
この火消し部材７は、枠体３に対し変位可能に設置されている。すなわち、火消し部材７は、軸７５により枠体３に対し回動可能に設置されている。この場合、枠体３の前方内側には、火消し部材７の前方側面に当接する当接部３１が形成されており、火消し部材７の前方側面が当接部３１に当接することにより、火消し部材７の図２中時計方向の回動が規制（停止）される。
【００２９】
また、火消し部材７には、火消し部材７を回動操作する操作部材８が設置（連結）されている。この操作部材８は、火消し部材７と一体的に形成されているか、または火消し部材７に固定されているのが好ましい。
【００３０】
操作部材８は、その前部上面に、指を当てて押圧する指当て部８１を有し、指当て部８１を下方に押圧すると、操作部材８および火消し部材７が軸７５を中心として図３中反時計方向に回動する（図３参照）。操作部材８および火消し部材７の回動角度範囲は、例えば８〜４５°程度とすることができる。
【００３１】
また、操作部材８の下部には、押圧された操作部材８を戻る方向（図３中時計方向）に付勢する付勢手段であるバネ（コイルバネ）７６が設置されている。操作部材８および火消し部材７は、このバネ７６により付勢されて、火消し部材７の前方側面が当接部３１に当接した状態で停止する。この状態では、火消し部材７は、その内腔７０がほぼ垂直方向となるような姿勢に維持される（図２参照）。
【００３２】
別の言い方をすれば、バネ７６は、後述する突部９１が火消し部材７の内腔７０から退避する方向に火消し部材を付勢するものである。
【００３３】
火消し部材７の側壁の後方下部には、上下方向に伸びるスリット状（帯状）の開口（切欠き）７３が形成されている。この開口７３は、火消し部材７の内腔７０に連通しており、後述する突部９１が通過することができる。
【００３４】
一方、本体２の枠体３には、灰落とし部材９が固定的に設置されている。この場合、灰落とし部材９は、枠体３に一体的に形成されていても、枠体３に対し固着されていてもよい。また、灰落とし部材９は、灰受け皿４に固定的に設置されていてもよい。
【００３５】
灰落とし部材９の前方には、開口７３を通過し得る突部９１が形成されている。操作部材８を押圧操作していない状態（図２に示す状態）では、前述したように、火消し部材７は、その内腔７０がほぼ垂直方向となるような姿勢に維持されており、この状態では、突部９１は、開口７３内に収納されている。すなわち、突部９１は、火消し部材７の内腔７０内には突出しておらず、退避状態にある。
【００３６】
また、操作部材８を押圧操作した状態（図３に示す状態）では、火消し部材７が反時計方向に回動し、これにより、突部９１が開口７３を通過して内腔７０内に突出（進入）する。
【００３７】
火消し部材７の内腔７０にタバコの灰が詰まっている場合、突部９１が内腔７０内に突出（進入）することにより、この突部９１が詰まった灰を崩し（ほぐし）、火消し部材７の下端開口から落下させる。
【００３８】
前記枠体３、灰受け皿４、蓋体５、火消し部材７、操作部材８と、灰落とし部材９は、それぞれ、耐熱性、不燃性または難燃性を有する材料で構成されているのが好ましい。そのような材料としては、例えば、アルミニウム、ステンレス鋼等の各種金属材料、ポリカーボネート、ポリエチレンテレフタレート、ポリブチレンテレフタレート等のポリエステル（特に、熱可塑性強化ポリエステル）、ポリアミド、その他、エポキシ樹脂、フェノール樹脂に代表される熱硬化性樹脂等の各種樹脂材料、各種セラミックス材料等が挙げられる。
【００３９】
次に、灰皿１の作用について説明する。
図２に示す状態、すなわち、蓋体５が閉じられ、ロック機構６５によりロックがなされた状態（爪６６が係合孔６７に係合した状態）から、操作部材８の指当て部８１を指で下方に押すと、操作部材８および火消し部材７がバネ７６の付勢力に抗して反時計方向に回動する。
【００４０】
この回動により、突部９１が火消し部材７の内腔７０内に突出（進入）する。内腔７０にタバコの灰が詰まっていた場合には、内腔７０に進入した突部９１が詰まった灰を崩し（ほぐし）、火消し部材７の下端開口から落下させる。
【００４１】
また、同時に、ロック機構６５のロックが解除され（爪６６が係合孔６７から外れ）る。これにより、蓋体５は、バネ６２の付勢力により時計方向に回動し、開く。この場合、蓋体５は、その重量（慣性）により、火消し部材７の回動に遅れて（火消し部材７の回動に対し比較的ゆっくりと）開く。
【００４２】
次に、操作部材８の指当て部８１から指を離すと、操作部材８および火消し部材７は、バネ７６の付勢力により時計方向に回動し、元の位置に戻る。すなわち、火消し部材７は、その前方側面が当接部３１に当接した状態で停止する。この状態では、火消し部材７は、その内腔７０がほぼ垂直方向となるような姿勢となる。このとき、突部９１は、内腔７０内から退避し、開口７３内に収納された状態となる。
【００４３】
この状態で、火のついたタバコの先端を火消し部材７の上端開口から内腔７０内に挿入し、押し込むと、その火が消される。このとき、灰は、火消し部材７の下端開口から灰受け皿４内に落下し、集積される。また、タバコの火が消えたら、その吸殻を火消し部材７から抜き取り、灰受け皿４内に捨てる。
【００４４】
最後に、バネ６２の付勢力に抗して蓋体５を手で押して反時計方向に回動し、閉じる。爪６６が係合孔６７に係合してロックがなされ、再び操作部材８が操作されるまで、蓋体５が閉じた状態が維持される。
【００４５】
このような灰皿１では、上述したように、操作部材８の１回の操作で、火消し部材７の内腔７０に詰まった灰を崩し（ほぐし）、除去する動作と、蓋体５を開く動作とを、この順に（短時間で）連続して行うことができるので、極めて簡単な操作で灰の詰まりが無い状態、すなわち、火消し部材７による火を消す機能が十分に保たれた状態を維持しておくことができる。
【００４６】
また、蓋体５が開く直前に、あるいは蓋体５が完全に開く前に（蓋体５が半開きの状態で）、火消し部材７の内腔７０に詰まった灰を崩し（ほぐし）、落下させるので、崩された灰や火の粉が舞い上がることも防止され、周囲を安全かつ清潔に保つことができる。
【００４７】
また、バネ７６の作用により、操作部材８を押圧した指を操作部材８から離すだけで、操作部材８および火消し部材７が元の位置に戻り、突部９１が内腔７０から退避して火消し部材７にてタバコの火を消すことができる状態になるので、蓋体５を開いた後の操作も極めて簡単である。
【００４８】
また、火消し部材７の内腔７０の灰による詰まりを解除する操作（灰落とし操作）をそれ専用に行わなくても、蓋体５を開く操作に伴って自動的に灰落とし操作が行われるので、メインテナンスが極めて簡単で、便利である。
【００４９】
以上のような灰皿１は、自動車の車内、電車や航空機の車内、機内、室内、店内、トイレ内、公園等の屋外、公共の場所、その他喫煙可能な各種場所等、いかなる場所に設置されるものでもよい。本発明の灰皿を自動車の車内に設置して使用する場合、灰皿１を例えば自動車のダッシュボード、エアコンの噴出し口、ドアの内面、コンソールボックス付近、座席の背面等の箇所に固定する固定手段（図示せず）を設けることができる。
【００５０】
以上、本発明を図示の実施形態に基づいて説明したが、本発明はこれに限定されるものではなく、各部の構成は、同様の機能を発揮し得る任意の構成と置換することができ、また、任意の構成が付加されていてもよい。
【００５１】
例えば、前述した実施形態と異なり、本体に対し突部が変位（回動）して火消し部材の内部に突出／退避するような構成であってもよい。また、突部の火消し部材に対する相対的な変位は、回動に限らず、例えば直線運動（往復運動）であってもよい。
【００５２】
【発明の効果】
以上述べたように、本発明によれば、火消し部材によりタバコの火を簡単かつ確実に消すことができるとともに、火消し部材に灰が詰まることを防止することができ、火消し部材の火消し機能を十分に保持することができる。
【００５３】
特に、火消し部材の内部に詰まった灰の除去は、蓋体を開くための操作に伴ってなされるため、灰を除去するための面倒な操作が不要であり、便利である。
【図面の簡単な説明】
【図１】本発明の灰皿の実施形態の全体構成を示す斜視図である。
【図２】図１中のＡ−Ａ線断面図（蓋体が閉じた状態）である。
【図３】図１中のＡ−Ａ線断面図（蓋体が開いた状態）である。
【符号の説明】
１          灰皿
２          本体
３          枠体
３１        当接部
４          灰受け皿
５          蓋体
６          ヒンジ構造部
６１        回動軸
６２        バネ
６５        ロック機構
６６        爪
６７        係合孔
７          火消し部材
７０        内腔
７１        テーパ部
７２        縮径部
７３        開口
７５        軸
７６        バネ
８          操作部材
８１        指当て部
９          灰落とし部材
９１        突部
【図１】
2005022560.tif 000003
【図２】
2005022560.tif 000004
【図３】
2005022560.tif 000005